(57)【特許請求の範囲】
【請求項１】
正極材と、負極材と、この正極材と負極材と間に介在された筒状セパレータと底部セパレータが円筒状の電池ケース内に収納された円筒形電池において、前記筒状セパレータに沿った折り曲げを行うことによって発生するシワを防止する切れ目を有した方形状の底部セパレータで前記筒状セパレータを外側から包むように構成したことを特徴とする円筒形電池。
【請求項２】
前記底部セパレータの切れ目の両脇同士を重ねて、前記筒状セパレータの一部を外側より包む構成にしたことを特徴とする請求項１に記載の円筒形電池。
【請求項３】
前記底部セパレータで、円筒状に巻回した前記筒状セパレータの一部を外側より包む構成にしたことを特徴とする請求項１に記載の円筒形電池。
【請求項４】
前記底部セパレータの切れ目と前記筒状セパレータの巻回の巻終わり位置が重ならないように構成したことを特徴とする請求項３に記載の円筒形電池。
【請求項５】
前記底部セパレータの切れ目の両脇同士を重ねて、円筒状に巻回した前記筒状セパレータの一部を外側より包む構成にしたことを特徴とする請求項１に記載の円筒形電池。
【請求項６】
前記底部セパレータの切れ目の両脇同士を重ねた折り重なり部と前記筒状セパレータの巻終わり位置とが重ならないように構成したことを特徴とする請求項５に記載の円筒形電池。
【請求項７】
円筒状に複数回巻回した前記筒状セパレータの巻終わり位置と巻始め位置とを重ねた重なり部分と前記底部セパレータの切れ目の両脇同士を重ねた折り重なり部とが重ならないように構成したことを特徴とする請求項１に記載の円筒形電池。
【請求項８】
円筒状に複数回巻回した前記筒状セパレータの巻終わり位置と巻始め位置とが同じ位置になるようにしたことを特徴とする請求項１に記載の円筒形電池。
【請求項９】
前記底部セパレータの切れ目が、前記筒状セパレータの外径より外側に位置するようにしたことを特徴とする請求項１に記載の円筒形電池。
【請求項１０】
前記底部セパレータの角部に切れ目を有したことを特徴とする請求項１に記載の円筒形電池。
【請求項１１】
前記底部セパレータの辺の中間部に切れ目を有したことを特徴とする請求項１に記載の円筒形電池。
【請求項１２】
前記底部セパレータの中心方向に向かう方向に切れ目を有したことを特徴とする請求項１に記載の円筒形電池。
【請求項１３】
前記底部セパレータの辺に対して傾斜した方向に切れ目を有したことを特徴とする請求項１に記載の円筒形電池。
【請求項１４】
複数箇所の切れ目を有した前記底部セパレータの切れ目を、円筒状に巻回した前記筒状セパレータの巻終わり位置を挟むように配置したことを特徴とする請求項１に記載の円筒形電池。
【請求項１５】
正極材として、二酸化マンガンからなる中空円筒状に圧縮成型した正極合剤を用いたことを特徴とする請求項１に記載の円筒形電池。
【発明の詳細な説明】
【技術分野】
【０００１】
本発明は、乾電池に代表される円筒形電池の正極材と負極材との間に介在されるセパレータを改良した円筒形電池に関するものである。
【背景技術】
【０００２】
近年、強負荷の放電性能を必要とされる携帯型情報機器やデジタルカメラなどでは大電流放電する電子機器が多く市場に普及している。これらの電子機器の電源として求められているアルカリマンガン乾電池やオキシライド乾電池に代表される円筒形電池の需要が急速に高まっている。それに伴い、例えばアルカリマンガン乾電池の生産効率の向上および高品質で信頼性のある大容量でハイパワーな円筒形電池の生産が求められている。
【０００３】
図７に従来技術に係るアルカリマンガン乾電池の構成を示す。アルカリマンガン乾電池は、円筒状外形の底部に正極凸部８５が形成された電池ケース１０３内に、円筒状の正極材１０４、円筒状の筒状セパレータ１０１および正方形の底部セパレータ１０２、ゲル状の負極材１０６を収納し、電池ケース１０３の開口端を絶縁ガスケット８７を介して封口板８８で封口すると共に、ゲル状の負極材１０６中に挿入された負極集電棒８９が封口板８８に接続して構成されている。この電池ケース１０３の底部には底部セパレータ１０２が配設され、ゲル状の負極材１０６と正極端子となる電池ケース１０３との間が内部短絡しないように隔離する方法が提案されている（例えば、特許文献１参照）。
【０００４】
また、従来のアルカリマンガン乾電池の構成に係る製造装置の工程手順を示す状態図を図８（ａ）〜（ｃ）に示す。図８（ａ）で示すように前工程で正極材１０４を挿入した電池ケース１０３を電池搬送治具１１０内に収納して、筒状セパレータ１０１が通過できる円形のガイド穴１１４と、このガイド穴１１４の上部に正方形の底部セパレータ１０２を保持する保持部１１１からなるセパレータ装填治具１１２の中心と、電池ケース１０３の中心と筒状セパレータ１０１の中心とが同一軸線上になるように電池搬送治具１１０とセパレータ装填治具１１２を搬送する。
【０００５】
次に図８（ｂ）で示すように、電池ケース１０３内の正極材１０４の内周面に接するように、巻芯１１３に円筒状に巻かれた筒状セパレータ１０１とセパレータ装填治具１１２の保持部１１１に保持された底部セパレータ１０２を巻芯１１３で、筒状セパレータ１０１の先端部を底部セパレータ１０２に当接させ両セパレータを同時にガイド穴１１４を通過させて電池ケース１０３に挿入する。
【０００６】
その後、図８（ｃ）で示すように挿入された両セパレータ１０１，１０２は電池ケース１０３内において配設されたまま巻芯１１３は上昇し、電池搬送治具１１０は次工程（図示せず）へと搬送される。その後、次工程において両セパレータ１０１，１０２で囲まれた中央空間に負極ゲル化剤を投入し、電解液を注液後、電池ケース１０３の開口部を封口板で封口して円筒形電池を製造する方法が提案されている（例えば、特許文献２参照）。
【特許文献１】特許第３５５２９１１号公報
【特許文献２】特許第３６５５４６９号公報
【発明の開示】
【発明が解決しようとする課題】
【０００７】
しかしながら、上述した特許文献に示される従来技術では、図９に示すように底部セパレータ１０２の角部１０２ａと筒状セパレータ１０１の巻始めと巻終わりからなる重なり部１０１ａが重なり合い、負極材１０６と正極材１０４との極間距離が部分的に増大し両
極の反応不足を引き起こしたり、負極材１０６の収容量が減少したりすることで所要の放電性能が得られないなどの課題があった。
【０００８】
すなわち、図９で示す筒状セパレータ１０１と底部セパレータ１０２の組付ける状態を示した斜視図のように、筒状セパレータ１０１の一部分を底部セパレータ１０２で包み込んだ際に筒状セパレータ１０１の巻始めと巻終わりが重なった重なり部１０１ａと底部セパレータ１０２の折り曲げられた角部１０２ａとが重なり合って厚くなり、図７に示す負極材１０６と正極材１０４とが筒状セパレータ１０１を介して対面する反応面の極間距離が部分的に増大して隙間が生じ、負極材１０６と正極材１０４との極間反応が悪くなる。その上、筒状セパレータ１０１の重なり部１０１ａと底部セパレータ１０２の角部１０２ａによって両セパレータが幾重にもなるため負極材１０６の収容量が減少することになり、所要の放電性能が得られないという問題が生じていた。
【０００９】
本発明は上記従来の課題を鑑みてなされたもので、底部セパレータに切れ目を有したことにより、底部セパレータに複雑なシワができない上に、筒状セパレータを包む前に折り重なり部の位置を決めることができるので、複雑な折り重なりによる負極材の容量の減少を抑制することができ、また両セパレータを介している正極材と負極材との極間距離が均一になるので内部抵抗のバラツキを抑えられ、放電特性のバラツキを抑制でき、放電特性の向上が可能となる信頼性の高い大容量でハイパワーな円筒形電池を提供することを目的としている。
【課題を解決するための手段】
【００１０】
正極材と、負極材と、この正極材と負極材と間に介在された筒状セパレータと底部セパレータが円筒状の電池ケース内に収納された円筒形電池において、筒状セパレータに沿った折り曲げを行うことによって発生するシワを防止する切れ目を有した方形状の底部セパレータで筒状セパレータを外側から包むように構成したことを特徴としている。
【発明の効果】
【００１１】
本発明によれば、筒状セパレータに沿った折り曲げを行うことによって発生するシワを防止する切れ目を有した方形状の底部セパレータで筒状セパレータを外側から包むことにより、底部セパレータが折れ曲がってできる複雑なシワによる負極材の容量の減少を抑制でき、且つ、筒状セパレータを包む前に折り重なり部の位置を決めることで正極材と負極材との極間距離が均一になり、内部抵抗のバラツキの抑制および放電特性が向上され大容量で高い信頼性を得ることが可能となる。
【発明を実施するための最良の形態】
【００１２】
本発明の第１の発明においては、正極材と、負極材と、この正極材と負極材と間に介在された筒状セパレータと底部セパレータが円筒状の電池ケース内に収納された円筒形電池において、筒状セパレータに沿った折り曲げを行うことによって発生するシワを防止する切れ目を有した方形状の底部セパレータで筒状セパレータを外側から包むように構成したことにより、筒状セパレータと底部セパレータが装着された際に底部セパレータの折れ曲がりによる複雑な折り重なりができないので負極材の容量の減少が抑制され、放電特性を向上させることが可能となる。
【００１３】
本発明の第２の発明においては、底部セパレータの切れ目の両脇同士を重ねて、筒状セパレータの一部を外側より包む構成にしたこと構成したことにより、底部セパレータで筒状セパレータを包んだ際に底部セパレータの複雑な折れ曲がりができないので、正極材と負極材との極間距離が均一になり放電特性を向上させることが可能となる。
【００１４】
本発明の第３の発明においては、底部セパレータで、円筒状に巻回した筒状セパレータ
の一部を外側より包む構成にしたことにより、正極材と負極材との極間距離が均一になるように巻回した回数により筒状セパレータの側壁の厚みの制御ができ、生産性向上が可能となる。
【００１５】
本発明の第４の発明においては、底部セパレータの切れ目と筒状セパレータの巻回の巻終わり位置が重ならないように構成したことにより、筒状セパレータの巻終わりが底部セパレータの切れ目に入り込むのを抑制でき、正極材と負極材との極間距離が均一になる。
【００１６】
本発明の第５の発明においては、底部セパレータの切れ目の両脇同士を重ねて、円筒状に巻回した筒状セパレータの一部を外側より包む構成にしたことにより、複雑な折り重なりができないので、内部抵抗のバラツキが抑えられ、放電特性を向上させることが可能となる。
【００１７】
本発明の第６の発明においては、底部セパレータの切れ目の両脇同士を重ねた折り重なり部と筒状セパレータの巻終わり位置とが重ならないように構成したことにより、筒状セパレータの巻終わりが底部セパレータの折り重なり部に入り込むのを抑制でき、正極材と負極材との極間距離が均一になる。
【００１８】
本発明の第７の発明においては、円筒状に複数回巻回した筒状セパレータの巻終わり位置と巻始め位置とを重ねた重なり部分と底部セパレータの切れ目の両脇同士を重ねた折り重なり部とが重ならないように構成したことにより、底部セパレータの折り重なり部と筒状セパレータの重なり部とが重ならないことで、両セパレータの重なりによる厚みを抑制でき、正極材と負極材との極間距離が近くなり放電特性を向上させることが可能となる。
【００１９】
本発明の第８の発明においては、円筒状に複数回巻回した筒状セパレータの巻終わり位置が巻始め位置と同じ位置になるようにしたことにより、筒状セパレータの重なり部の総厚みを最小限に抑制することができるので負極材の容量減少の抑制が可能となる。
【００２０】
本発明の第９の発明においては、底部セパレータの切れ目が、筒状セパレータの外径より外側に位置するようにしたことにより、装着時に底部セパレータの切れ目より負極材の流出がないので、漏液や内部短絡を発生させず信頼性を高めることが可能となる。
【００２１】
本発明の第１０の発明においては、底部セパレータの角部に切れ目を有したことにより、電池ケース内に装着時に底部セパレータに複雑なシワを抑制でき、折り重なり部の位置を決めることが可能となるので、正極材と負極材との極間距離が均一になり放電特性を向上させることが可能となる。
【００２２】
本発明の第１１の発明においては、底部セパレータの辺の中間部に切れ目を有したことにより、電池ケース内に装着時に底部セパレータの折り重なり部の範囲を最小限に抑えることが可能となる。
【００２３】
本発明の第１２の発明においては、底部セパレータの中心方向に向かう方向に切れ目を有したことにより、複雑なシワの発生を抑制することが可能となる。
【００２４】
本発明の第１３の発明においては、底部セパレータの辺に対して傾斜した方向に切れ目を有したことにより、底部セパレータの折り重なり部の位置が所定でき、複雑なシワの発生を抑制することが可能となる。
【００２５】
本発明の第１４の発明においては、複数箇所の切れ目を有した底部セパレータの切れ目を、円筒状に巻回した筒状セパレータの巻終わり位置を挟むように配置したことにより、
折り重なり部の発生する場所を決めることが可能となる。
【００２６】
本発明の第１５の発明においては、正極材として、二酸化マンガンからなる中空円筒状に圧縮成型した正極合剤を用いたことにより、中空円筒状の正極合剤の中央にゲル状の負極材を入れることができ、且つ中空円筒状に圧縮成型されているのでゲル状の負極材を定量入れることができるので、所定の放電特性を得ることが可能となる。
【００２７】
以下、本発明の円筒形電池の実施の形態であるアルカリマンガン乾電池の構成について、図を参照して説明する。図１に示すように、底面に正極端子とする外方に向けて突出形成した正極凸部６を設け、有底円筒形に形成された正極端子一体型の電池ケース１に電池ケース１の内周面に接している中空円筒形状に成型された正極材２が収容され、この正極材２の中空内に底部セパレータ５と筒状セパレータ３で隔てられた電解液（図示せず）とゲル状の負極材４が収容されている。さらに電池ケース１の開口端は絶縁ガスケット７を介して封口板８によって封口されると共にゲル状の負極材４に挿入した負極集電棒９を接続し負極端子となる封口板８が取り付けられて円筒形のアルカリマンガン乾電池１０を構成している。
【００２８】
例えば図２（ａ）に示されるように、底部がなく継ぎ目のない筒状セパレータ３が筒状セパレータ３の外径より大きな辺で切れ目５ｃを有する方形の底部セパレータ５上に、筒状セパレータ３の外径より外側に切れ目５ｃが位置するように配置され、図２（ｂ）に示すように筒状セパレータ３の下部を角部５ａと切れ目５ｃを有した底部セパレータ５の周縁を折り曲げ、切れ目５ｃによって形成された折り重なり部５ｅを含む立上り部５ｂで包み込み、図１に示す電池ケース１内でゲル状の負極材４と電池ケース１の底面とを内部短絡しないように隔離絶縁している。
【００２９】
また図３（ａ）に示されるように、複数回巻回した円筒状の筒状セパレータ３を用いて、筒状セパレータ３を筒状セパレータ３の外径より大きな辺を持つ方形状の底部セパレータ５上に配置し、図３（ｂ）の平面図で示すように筒状セパレータ３の巻始め位置３ｂと巻終わり位置３ｃからなる重なり部１２と底部セパレータ５が有する切れ目５ｃが重ならない位置で位置決めし、図３（ｃ）に示すように筒状セパレータ３の下部を底部セパレータ５の周縁を折り曲げた立上り部５ｂで包み込み、負極材４と電池ケース１の底面とを内部短絡しないように隔離絶縁しても構わない。
【００３０】
さらに図３（ｃ）に示すように、底部セパレータ５が有する切れ目５ｃによってできた折り重なり部５ｅが筒状セパレータ３の巻始め位置３ｂと巻終わり位置３ｃからなる重なり部１２と重ならない状態で装着することで、重なり部１２と底部セパレータ５の折り重なり部５ｅとが重ならず、負極材４の容量が減少する課題を抑制することができ、両セパレータ３，５を介しての正極材２と負極材４との極間距離が近い状態で均一になり電池の内部抵抗のバラツキを抑えられる。
【００３１】
また図４（ａ）〜（ｃ）のように筒状セパレータ３の巻始め位置３ｂと巻終わり位置３ｃとが同じ位置になるように複数回巻回された筒状セパレータ３を用いても同じ効果が得られる。さらには、筒状セパレータ３の巻始め位置３ｂと巻終わり位置３ｃとが同じ位置になるように複数回巻回された筒状セパレータ３を用いた場合においても、底部セパレータ５が有する切れ目５ｃが重ならないことで、切れ目５ｃからゲル状の負極材４が正極材２側へ漏液することがないので短絡も防ぐことができる。
【００３２】
なお、図４（ａ）に示すように角部５ａから筒状セパレータ３の中心に対して垂直に切れ目５ｃを配してもよく、図４（ｂ）に示す角部５ａから筒状セパレータ３の中心に対して斜めに切れ目５ｃを配しても構わない。また、図４（ｃ）に示すように、端面部５ｄか
ら底部セパレータ５の辺の中間部に対して垂直に切れ目５ｃを配してもよく、図４（ａ）〜（ｃ）に示すように、底部セパレータ５の有する切れ目５ｃは、底部セパレータ５の辺の中間部５ｄまたは角部５ａにあり、底部セパレータ５と筒状セパレータ３を重ねた時の筒状セパレータ３の外径より内側に切れ目５ｃが入り込まないように配置し、且つ、筒状セパレータ３の巻始め位置３ｂと巻終わり位置３ｃを挟むように配置した、少なくともいずれか２箇所以上であればよい。
【００３３】
以下、本発明の実施の形態に関わる円筒形電池について図を参照しながら詳細に説明するが、本発明は、これのみに限定されることなくマンガン乾電池やオキシライド乾電池、さらには空気亜鉛電池等でもかまわない。まず、図１に示すように有底円筒形に形成した電池ケース１の底面には正極端子となる外方に向けて突出形成した正極凸部６が設けられ、電池ケース１内に、粉末状の正極合剤を円筒形状に圧縮成形した正極材２を電池ケース１の内周面に接した状態で挿入し収納する。円筒形電池の品種により収納する円筒形状に成形した正極材２を複数個収納し、本発明の一実施の形態においては電池ケース１内に２個の正極材２を収納する。
【００３４】
なお、正極材２は二酸化マンガンと黒鉛とを９０：１０の重量比で混合した混合物とアルカリ電解液とを１００：３の重量比で混合し、十分に攪拌した後、フレーク状に圧縮成形した。また、アルカリ電解液には、４０重量％の水酸化ナトリウム水溶液を用い、フレーク状の正極合剤を粉砕して粉末状にしてふるいによって分級し、１０〜１００メッシュのものを中空円筒形に圧縮成型してペレット状の正極材２を得た。この正極材２を電池ケース１内に２個挿入した。
【００３５】
次に筒状セパレータ３の直径より大きい幅をもつ帯状のセパレータを幅の寸法と同じ長さの寸法に切断するのと同時に切れ目５ｃを入れて底部セパレータ５とした。方形状の底部セパレータ５を電池ケース１の中心と底部セパレータ５の中心が同一になる位置に配置する。ここで方形状に切断された底部セパレータ５の角部は切断時に位置決めされて、その位置決めされた状態を保持しながら電池ケース１の上に配置する。なお、底部セパレータ５はイオンのみを透過する微孔性フィルムとして再生セルロースを用い、その両面に化学繊維からなる不織布をラミネートしており、厚みは０．０２から０．３ｍｍが好ましい。なお、図２の底部がなく継ぎ目のない筒状セパレータ３でも構わない。
【００３６】
また、筒状セパレータ３の高さ方向の寸法と同じ寸法の幅を持つ帯状のセパレータを所定の長さに切断し、巻芯を用いて円筒状に巻回して筒状セパレータ３を作製する。ここで、筒状セパレータ３の巻回する回数は円筒形電池の品種により決定され、本発明の実施の形態においては３巻きの巻回回数を有した筒状セパレータ３とした。
【００３７】
さらに切断する長さは図３（ａ）に示すように、３巻きすることで巻終わり位置３ｃが巻始め位置３ｂと同じ位置で巻終わる長さで切断した。なお、必要回数巻いた後に切断しても構わない。また、底部セパレータ５と同様にイオンのみを透過する微孔性フィルムとして再生セルロースを用い、その両面に化学繊維からなる不織布をラミネートしている。
【００３８】
次に筒状セパレータ３の中心と電池ケース１および底部セパレータ５の中心が同一になる位置に配置する。ここで、筒状セパレータ３の中心と底部セパレータ５の中心とを合致させ、筒状セパレータ３の巻始め位置３ｂと巻終わり位置３ｃと底部セパレータ５の切れ目５ｃが重ならない位置で底部セパレータ５の上に配置する。
【００３９】
さらに、筒状セパレータ３を巻いた（詳細は後述する）巻芯を電池ケース１の開口部の方向に挿入することで、図３（ｃ）に示すように筒状セパレータ３の下部を底部セパレータ５の周縁を折り曲げた立上り部５ｂで包み込んだ状態となる。その状態のままで電池ケ
ース１に収納した中空円筒状の正極材２の内径に密着させて装着する。底部セパレータ５の切れ目５ｃと筒状セパレータ３の巻始め位置３ｂと巻終わり位置３ｃと重ならない状態で装着することで、装着時に底部セパレータ５の切れ目５ｃより負極材４の流出がないので、漏液や内部短絡を発生させず信頼性を高めることができる上、筒状セパレータ３の巻始め位置３ｂと巻終わり位置３ｃと底部セパレータ５の折り重なり部５ｅとが重なることで発生する負極材４の容量の減少する現象を抑制することもでき、且つ、両セパレータ３,５を介しての正極材２と負極材４との極間距離が近くなり電池内部抵抗のバラツキを抑えられる。
【００４０】
また、底部セパレータ５と筒部セパレータ３の中心のズレがなく挿入し装着しているため、底部セパレータ５は中心を対称にして絞られ、電池ケース１の底部が底部セパレータ５を覆う形となり、後の工程においてゲル状の負極材４を充填した時の負極材４と電池ケース１の底面との内部短絡を防ぐ。
【００４１】
その後、図１の構造を表示したように電解液（図示せず）を注液し、ゲル状になった負極材４を挿入した後、周縁に絶縁ガスケット７が装着され中央部に負極集電棒９を設けた負極端子となる封口板８の負極集電棒９を負極材４に挿入しながら、電池ケース１の開口部に装着して、電池ケース１の開口部を内側方向に折り曲げてかしめ封口し密閉した円筒形電池を作製する。なお、ゲル状の負極材４はゲル化剤としてポリアクリル酸ナトリウムと、アルカリ電解液として４０重量％の水酸化ナトリウム水溶液と、負極活物質として亜鉛粉末とを１：３３：６６の重量比で混合している。
【００４２】
以下に本発明の実施の形態に関わる円筒形電池の構成および製造方法について詳しく説明する。以下に示される構成および製造方法については、本発明を説明するために掲げた例えば外径１４ｍｍ、高さ５０ｍｍのアルカリマンガン乾電池である単３（ＬＲ６）として一例を示すものであって、本発明の円筒形電池の構造を下記のものに特定するものではない。
【実施例１】
【００４３】
図５（ａ）に示すように、底部セパレータ５は厚みが０．２ｍｍ、幅が１５ｍｍの不織布を極薄の厚みに加工した帯状セパレータ１８を幅寸法と同じ図示した点線部分の１５ｍｍの長さで切断し、同時に筒状セパレータ３の外径より内側に切れ目がこないように切れ目５ｃを形成して方形状の底部セパレータ５を構成した。
【００４４】
帯状セパレータ１８の巾は方形状に形成した底部セパレータ５の幅寸法と同じ幅寸法にし、幅寸法と同じ長さ寸法に切り出すことにより正方形となり、材料ロスがなく、切り屑が発生しないので屑処理の作業工程も省略することができる。
【００４５】
図５（ｂ）に示すように、前工程により二酸化マンガンからなる円筒形状の正極材２を２個収納した有底円筒状の電池ケース１の中心と底部セパレータ５の中心が合致した状態で、電池ケース１の開口部に底部セパレータ５を配置する。また、底部セパレータ５の角部５ａは位置決めをしている。
【００４６】
さらに図６（ａ）に示すように、厚みが０．２ｍｍ、幅が４４ｍｍの帯状セパレータ３６を図示した点線部分で８５ｍｍの長さに切断し、図６（ｂ）に示すように巻芯１６に巻きつけて３巻きからなる筒状セパレータ３を成形した。また、図６（ｃ）で示す筒状セパレータ３の巻始め位置３ｂと巻終わり位置３ｃは図６（ｂ）に示すように巻終わり位置３ｃが巻始め位置３ｂと同じ位置で巻終わる寸法で帯状セパレータ３６を切断しており、巻始め位置３ｂを決定した後、巻芯１６を自転させ、帯状セパレータ３６を巻回すると巻始め位置３ｂが決まっていることで巻終わり位置３ｃもおのずと決定する。
【００４７】
また、帯状セパレータ３６を巻回して筒状セパレータ３を成形する際、巻芯１６にガイドを設けることが好ましく、ローラのように自由に自転するものを帯状セパレータ３６を介して巻芯１６に押し付けて巻回を補助するものが更に好ましい。なお、必要巻数を巻き終えた後に、切断し筒状セパレータ３を成形しても構わない。
【００４８】
巻終わり位置３ｃの位置決めをした筒状セパレータ３を成形した後、図６（ｄ）のように筒状セパレータ３の巻終わり位置３ｃを底部セパレータ５の切れ目５ｃが重ならないように位置決めした状態で、筒状セパレータ３を巻き付けた巻芯１６を下降させ、巻芯１６の先端面で角部５ａを位置決めしている底部セパレータ５の中央部を押しながら、電池ケース１の底面に底部セパレータ５が当接するまで挿入した。
【００４９】
この時、筒状セパレータ３は底部セパレータ５で包んだ状態で電池ケース１内に挿入され、電池ケース１の底面に底部セパレータ５が当接するまで挿入される。また、巻芯１６に巻回された筒状セパレータ３の巻緩みが生じないようにガイド穴を設置することが好ましく、ガイド穴の中に通しながら電池ケース１内に挿入すると巻緩みは生じない。
【００５０】
さらに、底部セパレータ５と巻芯１６の中心のズレが生じないことで底部セパレータ５は中心を対称にして絞られ電池ケース１の底部を覆うように装着されことにより、後の工程においてゲル状の負極材４を充填した時に電池ケース１や正極材２と短絡することを高い精度で抑制できる。
【００５１】
図３（ｃ）のような状態の筒状セパレータ３と底部セパレータ５を電池ケース１内に収納した後、次工程で、図１で示したように電池ケース１内に電解液を注液しゲル状の負極材４を挿入して、電池ケース１の開口部に封口板８を装着後、電池ケース１の開口部を内側方向に折り曲げてかしめ封口し密閉した単３（ＬＲ６）のアルカリマンガン乾電池１０を作製した。
【００５２】
以上のように本発明は、筒状セパレータ３に沿った折り曲げを行うことによって発生するシワを防止する切れ目５ｃを有した方形状の底部セパレータ５で筒状セパレータ３を外側から包むように構成し、また複数回巻回した筒状セパレータ３を用いる場合においては筒状セパレータ３の巻始め位置３ｂと巻終わり位置３ｃと切り目５ｃを有する方形状の底部セパレータ５の切れ目５ｃとが重ならない位置に位置決めして、底部セパレータ５で筒状セパレータ３を包み込む構成にすることで、筒状セパレータ３と底部セパレータ５が装着された際に底部セパレータ５の切れ目５ｃにより、底部セパレータ５ｂに折れ曲がった複雑な折り重なりにならず、底部セパレータ５の切れ目５ｃからなる折れ曲がった折り重なり部５ｅが筒状セパレータ３の巻始め位置３ｂと巻終わり位置３ｃとが重ならないことで、共に高い精度で底部セパレータ５の挿入を実現ができ、漏液や内部短絡を発生させずに大容量で信頼性の高い円筒形電池の供給安定化、安全性の安定化を実現する。
【産業上の利用可能性】
【００５３】
本発明によれば、筒状セパレータに沿った折り曲げを行うことによって発生するシワを防止する切れ目を有した方形状の底部セパレータで筒状セパレータを外側から包むように構成したことにより、底部セパレータの折れ曲がった複雑な折り重なりによる負極材の容量の減少を抑制でき、且つ、あらかじめ底部セパレータの折れ曲がった折り重なり部の位置が決まることで正極材と負極材との極間距離が近くなり、内部抵抗のバラツキの抑制および放電特性が向上される。また、底部セパレータの切れ目と筒状セパレータの巻始め位置と巻終わり位置とが重ならない状態で装着することで、装着時に底部セパレータの切れ目より負極材の流出がないので、漏液や内部短絡を発生させず信頼性を高めることができ、大容量で高品質な信頼性の高い円筒形電池を得ることが可能となり、強負荷放電性能を
必要とされる携帯型情報機器やデジタルカメラなどの大電流放電機器の電源として有用である。
【図面の簡単な説明】
【００５４】
【図１】本発明の一実施の形態における円筒形電池の半断面正面図
【図２】（ａ）本発明の一実施の形態における底部セパレータと底部がなく継ぎ目のない筒状セパレータの模式図、（ｂ）同底部セパレータで底部がなく継ぎ目のない筒状セパレータを包み込んだ状態を示す模式図
【図３】（ａ）本発明の一実施の形態における底部セパレータと複数回巻回した筒状セパレータの模式図、（ｂ）同底部セパレータと複数回巻回した筒状セパレータの平面図、（ｃ）同底部セパレータで複数回巻回した筒状セパレータを包み込んだ状態を示す模式図
【図４】（ａ）本発明の一実施の形態における底部セパレータと筒状セパレータと筒状セパレータの角部から垂直に切れ目を設けた平面図、（ｂ）角部から斜めに切れ目を設けた平面図、（ｃ）端面部から垂直に切れ目を設けた平面図
【図５】（ａ）同底部セパレータの形状に成形する前の帯状セパレータの模式図、（ｂ）底部セパレータを挿入する前の模式図
【図６】（ａ）同筒状セパレータに成形する前の帯状セパレータの模式図、（ｂ）同筒状セパレータを成形する前の状態を示す模式図、（ｃ）同筒状セパレータを成形した状態を示す模式図、（ｄ）同筒状セパレータと底部セパレータを挿入する前の状態を示す模式図
【図７】従来例における円筒形電池の半断面正面図
【図８】（ａ）従来例における筒状セパレータの巻付け状態を示す模式図、（ｂ）同底部セパレータと筒状セパレータの挿入時の状態を示す模式図、（ｃ）同底部セパレータと筒状セパレータの装着時の模式図
【図９】従来例における底部セパレータで筒状セパレータを包み込んだ状態を示す模式図
【符号の説明】
【００５５】
１  電池ケース
２  正極材
３  筒状セパレータ
３ｂ  巻始め位置
３ｃ  巻終わり位置
４  負極材
５  底部セパレータ
５ａ  角部
５ｂ  立上り部
５ｃ  切れ目
５ｄ  辺の中間部
５ｅ  折り重なり部
６  正極凸部
７  絶縁ガスケット
８  封口板
９  負極集電棒
１０  円筒形電池
１２  重なり部
１６  巻芯
１８  帯状セパレータ
３６  帯状セパレータ
【図１】
0005092786.tif 000002
【図２】
0005092786.tif 000003
【図３】
0005092786.tif 000004
【図４】
0005092786.tif 000005
【図５】
0005092786.tif 000006
【図６】
0005092786.tif 000007
【図７】
0005092786.tif 000008
【図８】
0005092786.tif 000009
【図９】
0005092786.tif 000010